(57)【要約】【課題】靴のまま履いて歩行した際に、スリッパの中で靴が前後、上下又は横方向にバタついてしまうことを極力抑制する靴履きスリッパを提供する。【解決手段】靴履きスリッパ１は、スリッパ底４と、スリッパ底４の上方に設ける中敷き５と、中敷き５の上方に設ける甲面２及び側面３とを備える。甲面２は、靴先を包むように覆い、所定の縫い合わせ部を有する。前記所定の縫い合わせ部の最も高い箇所である縫い合わせ最高部２１は、甲面２の最も高い箇所としている。【選択図】図１
2017192471.tif 000002
【特許請求の範囲】
【請求項１】
スリッパ底と、
前記スリッパ底の上方に設ける中敷きと、
前記中敷きの上方に設ける甲面と、
を少なくとも備え、
前記甲面が靴先を包むように覆い、
前記甲面の靴先側に縫い合わせ部を有し、
前記縫い合わせ部の最も高い箇所である縫い合せ最高部（２１）を前記甲面の最も高い箇所とした靴履きスリッパ。
【請求項２】
スリッパの幅方向仮想中央線（Ｃ）又はその近傍に前記縫い合わせ部を有する請求項１の靴履きスリッパ。
【請求項３】
前記甲面の靴先最先端箇所から前記甲面の反靴先側縁端部の最も高い箇所である縁端最高部（２２）までの長さ（Ｌ２）を、スリッパ全長（Ｌ１）の４５％以上とした請求項１又は請求項２に記載の靴履きスリッパ。
【請求項４】
前記甲面に芯材又は形状補強材を付加しないことを特徴とする請求項１から請求項３いずれかに記載の靴履きスリッパ。
【請求項５】
前記スリッパ底と前記中敷きとの間に芯材を設けないことを特徴とする請求項１から請求項４いずれかに記載の靴履きスリッパ。
【請求項６】
前記縁端最高部と前記縫い合わせ最高部とを同一高さとした請求項１から請求項５いずれかに記載の靴履きスリッパ。
【発明の詳細な説明】
【技術分野】
【０００１】
本願発明は、靴のままで履く靴履きスリッパに関するものである。
【背景技術】
【０００２】
靴を脱がずにそのままスリッパが履けると便利な場合がある。例えば、外部から工場や病院などの施設内に入りたい場合である。前記のような場合には、靴に付着した埃や土砂等がスリッパの靴先側から施設内に落下しないようにスリッパの靴先側は覆われている必要がある。
【０００３】
ところで、通常のスリッパをそのまま大きくしたような形状（足の甲が接する部分が高く、つま先が接する部分が低い形状）で、ヒール、ブーツ、ミュール又は靴のままでも履けるようにしたスリッパも存在はする（例えば、特許文献１及び特許文献２）。
【先行技術文献】
【特許文献】
【０００４】
【特許文献１】実開平１−１５９７０１号公報
【特許文献２】実用新案登録第３１６３２０５号
【発明の概要】
【発明が解決しようとする課題】
【０００５】
しかし、上述したような通常のスリッパをそのまま大きくしたような形状の靴履きスリッパは、歩行中にスリッパの中で靴が前後、上下又は横方向にバタついてしまいやすいものと考える。
【０００６】
そこで、靴のままスリッパを履いて歩行する際に、スリッパの中で靴が前後、上下又は横方向にバタついてしまうことを極力抑制することを本願発明の課題とした。
【課題を解決するための手段】
【０００７】
本願発明は、上述の課題を解決するために、スリッパ底と、前記スリッパ底の上方に設ける中敷きと、前記中敷きの上方に設ける甲面と、を少なくとも備え、前記甲面が靴先を包むように覆い、前記甲面の靴先側に縫い合わせ部を有し、前記縫い合わせ部の最も高い箇所である縫い合せ最高部を前記甲面の最も高い箇所とした靴履きスリッパを提供する。
【０００８】
本願発明は、上述の課題を解決するために、スリッパ底と、前記スリッパ底の上方に設ける中敷きと、前記中敷きの上方に設ける甲面と、を少なくとも備え、前記甲面が靴先を包むように覆い、前記甲面の靴先側、スリッパの幅方向仮想中央線又はその近傍に縫い合わせ部を有し、前記縫い合わせ部の最も高い箇所である縫い合せ最高部を前記甲面の最も高い箇所とした靴履きスリッパを提供する。
【０００９】
本願発明は、上述の課題を解決するために、スリッパ底と、前記スリッパ底の上方に設ける中敷きと、前記中敷きの上方に設ける甲面と、を少なくとも備え、前記甲面が靴先を包むように覆い、前記甲面の靴先側、スリッパの幅方向仮想中央線又はその近傍に縫い合わせ部を有し、前記縫い合わせ部の最も高い箇所である縫い合せ最高部を前記甲面の最も高い箇所とし、さらに前記甲面の靴先最先端箇所から前記甲面の反靴先側縁端部の最も高い箇所である縁端最高部までの長さを、スリッパ全長の４５％以上とした靴履きスリッパを提供する。
【００１０】
本願発明は、上述の課題を解決するために、スリッパ底と、前記スリッパ底の上方に設ける中敷きと、前記中敷きの上方に設ける甲面と、を少なくとも備え、前記甲面が靴先を包むように覆い、前記甲面の靴先側、スリッパの幅方向仮想中央線又はその近傍に縫い合わせ部を有し、前記縫い合わせ部の最も高い箇所である縫い合せ最高部を前記甲面の最も高い箇所とし、さらに前記甲面の靴先最先端箇所から前記甲面の反靴先側縁端部の最も高い箇所である縁端最高部までの長さを、スリッパ全長の４５％以上とし、前記甲面に芯材又は形状補強材を付加しない又は前記スリッパ底と前記中敷きとの間に芯材を設けない靴履きスリッパを提供する。
【００１１】
本願発明は、上述の課題を解決するために、スリッパ底と、前記スリッパ底の上方に設ける中敷きと、前記中敷きの上方に設ける甲面と、を少なくとも備え、前記甲面が靴先を包むように覆い、前記甲面の靴先側に縫い合わせ部を有し、前記縫い合わせ部の最も高い箇所である縫い合せ最高部を前記甲面の最も高い箇所とし、前記縁端最高部と前記縫い合わせ最高部とを同一高さとした靴履きスリッパを提供する。
【発明の効果】
【００１２】
本願発明の靴履きスリッパは、縫い合せ最高部を甲面の最も高い箇所としたため、スリッパの内部先端まで靴先がしっかりと到達する。その結果、歩行時にスリッパの中で靴が前後又は上下し難い（バタつきにくい）。
【００１３】
本願発明の靴履きスリッパは、甲面の靴先側、スリッパの幅方向仮想中央線又はその近傍に縫い合わせ部を有するため、縫い合せ最高部がスリッパの中央に位置することとなり、歩行時にスリッパの中で靴が前後又は上下し難い（バタつきにくい）だけでなく、横方向にもずれ難くなる。
【００１４】
本願発明の靴履きスリッパは、甲面の靴先最先端箇所から縁端最高部までの長さをスリッパ全長の４５％以上としたため、靴の甲部（足の甲）から足首にかけて接触する面積が増加し、スリッパの中で靴が上下又は前後し難くなる。
【００１５】
本願発明の靴履きスリッパは、甲面に芯材又は形状補強材を付加しない又は前記スリッパ底と前記中敷きとの間に芯材を設けないため、スリッパを軽量化することができ、スリッパ自体の重量で当該スリッパがバタつくことを抑制できる。
【００１６】
本願発明の靴履きスリッパは、前記縁端最高部と前記縫い合わせ最高部とを同一高さとしたため、スリッパのバタつきを一定程度抑制しつつも履き易い。
【図面の簡単な説明】
【００１７】
【図１】図１は実施例１の靴履きスリッパの外観を示した斜視図である。
【図２】図２は実施例１の靴履きスリッパの高さ関係を示した側面図である。
【図３】図３は実施例１の靴履きスリッパの長さ関係を示した平面図である。
【図４】図４は実施例１の靴履きスリッパの内部構造を示した切断断面図である。
【図５】図５は実施例１のかかと部の構造の変形例１を示した斜視図である。
【図６】図６は実施例１のかかと部の構造の変形例２を示した斜視図である。
【図７】図７は実施例１の靴履きスリッパの使用状態を示した説明図である。
【図８】図８は実施例２の靴履きスリッパの外観を示した斜視図である。
【発明を実施するための形態】
【００１８】
安全靴のまま履いて工場に入ること又はスニーカーのまま履いて病院等の施設に入ることができる靴履きスリッパとして実施する。
【実施例１】
【００１９】
実施例１の靴履きスリッパの構成について、図１から図６に従い説明する。
【００２０】
靴履きスリッパ（１）は、スリッパ底（４）と、前記スリッパ底の上方に設ける中敷き（５）と、前記中敷きの上方に設ける甲面（２）及び側面（３）と、で構成する（図１）。
【００２１】
前記甲面（２）は、靴に付着した埃や土砂等が当該スリッパの靴先側から落下しないように、靴先を包むように覆っている（図１）。
【００２２】
前記甲面（２）の靴先側、スリッパの幅方向仮想中央線（Ｃ）上には、縫い合わせ部を有する（図１及び図３）。
【００２３】
前記甲面（２）の縫い合わせ位置について、スリッパの幅方向中央付近（近傍）に有していれば良いものとする。
【００２４】
前記甲面（２）の縫い合わせ数について、本実施例では１本であるが、複数本でも許容し得る。
【００２５】
前記甲面（２）の縫い合わせ部の中で床面又は前記スリッパ底（４）から計測して最も高い箇所である縫い合わせ最高部（２１）の高さ（Ｔ１）は、９２０ミリメートとしているが、前記スリッパ底を床面に置いた際に、前記甲面の最も高い箇所となるようにしている（図２）。
【００２６】
前記甲面（２）の反靴先側縁端部（足首側或いはかかと寄りの縁端部）の中で床面又は前記スリッパ底（４）から計測して最も高い箇所である縁端最高部（２２）の高さ（Ｔ２）は、８００ミリメートルと前記縫い合せ最高部（２１）よりも僅かに低くしている（図２）。これにより、歩行時にスリッパの中で靴が前後することを抑制できる。
【００２７】
前記甲面（２）の靴先最先端箇所から前記縁端最高部（２２）までの長さ（Ｌ２）について、短すぎると靴の甲部（足の甲）から足首にかけて接触する面積が減少し、スリッパ中で靴が上下又は前後し易くなることから相当程度の長さ（通常のスリッパ以上の長さ）を要する。本実施例では１６０ミリメートルとしており、スリッパ全長（Ｌ１）の４５％以上であることが好ましい。４７％以上の長さにすればさらに好ましい（図３）。
【００２８】
なお、本実施例の靴履きスリッパ（１）の全長（Ｌ１）は、３３６ミリメートルであるが靴のまま履くことが可能であればいかなるサイズでも許容し得る。
【００２９】
前記甲面（２）には芯材又は形状補強材を付加していない。これはスリッパ自体の重量を軽くするためである（図４）。
【００３０】
前記甲面（２）の材質について、通常のスリッパで使用される一般的な材質はすべて許容し得るが、特に、樹脂が好ましいものと考える。当該靴履きスリッパは、靴のまま履くスリッパであることから埃や土砂等、汚れが付着する機会が多いことが想定され、洗浄又は清掃が容易であることは望まれる。したがって、水洗いによる丸洗いが可能で早く乾く樹脂が好ましいものと考える。
【００３１】
前記側面（３）の形状について、前記縁端最高部からかかと側に向かって徐々に低くなる形状としているが、歩行時の横ずれを抑制し得る形状であれば良いものとする（図２）。
【００３２】
前記側面（３）の構成について、歩行時の横ずれを抑制し得る構成であれば前記甲面（２）と分離していても許容し得るが、スリッパ自体の軽量化やコスト面に配慮すれば、本実施例のような甲面と一体的に構成した構成が好ましい（図１）。
【００３３】
前記スリッパ底（４）と前記中敷き（５）との間には芯材を設けていない。これはスリッパ自体の重量を軽くするためである（図４）。
【００３４】
なお、前記スリッパ底（４）について、歩行時に滑ることを抑制又は防止する滑り止め機能を備えている方が好ましい。
【００３５】
なお、本実施例では、履きやすさにも配慮してかかと部（６）を設けていないが、図５又は図６の様に設けても構わない（図５及び図６）。
【００３６】
次に、靴履きスリッパの使用状態について、図７に従い説明する。
【００３７】
安全靴やスニーカーなどの靴（７）のまま、靴履きスリッパ（１）を履く。
【００３８】
縫い合せ最高部が甲部の最も高い箇所であるため、靴先が相当程度高さのある靴であったとしてもスッポリと収まる。当該靴履きスリッパの内部先端にまで靴先が到達し易い形状であるため、歩行時にもスリッパの中で靴が前後、上下又は横方向にバタつき難い。
【実施例２】
【００３９】
実施例２の靴履きスリッパは、縫い合わせ最高部と縁端最高部とを同一高さとした靴履きスリッパであり、その構成について、実施例１と異なる部分についてのみ図８に従い説明する。
【００４０】
靴履きスリッパ（１）は、スリッパ底（４）と、前記スリッパ底の上方に設ける中敷き（５）と、前記中敷きの上方に設ける甲面（２）及び側面（３）と、で構成され、前記甲面の靴先側には、実施例１と同様の縫い合わせ部を有する。また、前記縫い合せ部の最も高い箇所である縫い合わせ最高部（２１）を前記甲面の最も高い箇所（Ｔ１）となるようにしているのも同様である。
【００４１】
縁端最高部（２２）の高さ（Ｔ２）を前記縫い合せ背高部（２１）の高さと同一にしている。これは、スリッパのバタつきを一定程度抑制しつつも履き易くするためである。
【産業上の利用可能性】
【００４２】
本願発明の靴履きスリッパは、歩行時にスリッパの中で靴が前後、上下又は横方向にバタついてしまうことを極力抑制する優れた靴履きスリッパであるので、産業上の利用性可能性を有する。
【符号の説明】
【００４３】
１    靴履きスリッパ
２    甲面
２１  縫い合わせ最高部
２２  縁端最高部
３    側面
４    スリッパ底
５    中敷き
６    かかと部
７    靴（スニーカー、安全靴など）
Ｃ    スリッパの幅方向仮想中央線
Ｌ１  スリッパの全長
Ｌ２  甲面の靴先最先端箇所から縁端最高部までの長さ
Ｔ１  縫い合わせ最高部の高さ
Ｔ２  縁端最高部の高さ
【図１】
2017192471.tif 000003
【図２】
2017192471.tif 000004
【図３】
2017192471.tif 000005
【図４】
2017192471.tif 000006
【図５】
2017192471.tif 000007
【図６】
2017192471.tif 000008
【図７】
2017192471.tif 000009
【図８】
2017192471.tif 000010